Podtech/llm-jp-corpus-v4-ja_patent huggingface dataset:
(57)【要約】【課題】地震時、木造家屋の倒壊の大半は１階部分が押し潰される例が多いが、本考案は１棟全体を金属パイプで繋ぎ２階梁、柱部分の座屈を防ぎ倒壊・転倒を防ぐ。【解決手段】家屋の周囲を金属パイプ１で囲む。天井裏にワイヤー３を通し、パイプタンバックル（金属締具）４で締め、ジョイント部分２は途中部材（柱・梁）の３倍強度を得る連結部ジョイントコネクター図４で継ぐ。これにより箍をはめた状態にし２階梁、柱部分の座屈を防ぎ倒壊・転倒を防ぐ。【選択図】図１
0003123949.tif 000002
【実用新案登録請求の範囲】
【請求項１】
木造家屋の全体を金属の柱・梁・ワイヤーで連結して、木造家屋の一番の欠点である２階梁と柱の仕口（柄穴及び、欠き込み、ボルト穴）等の欠損部分を補い、周囲に廻す金属土台及び金属パイプの柱により力を平滑にして地面に伝える耐震補強枠。
【請求項２】
家屋の周囲を金属パイプで囲み、天井裏にワイヤーを通し、パイプタンバックル（金属締具）で締め、金属パイプ内部にはコンクリートを圧注する事で耐力を増し、金属パイプのジョイント部分は途中部材（柱・梁）の３倍強度を得る連結部ジョイントコネクターで継ぎ、出入口開口部の基礎梁は地中に埋め込み、中間梁は巾３００ｍｍ以上の６ｍｍメタルラスを溶接してラーメン（鋼）とした耐震補強枠。
【考案の詳細な説明】
【技術分野】
【０００１】表題の通り、木造小住宅を外部より金属パイプの柱・梁・ワイヤーで箍をはめた状態にし、１棟全体を金属パイプで繋ぎ２階梁、柱部分の座屈を防ぎ倒壊・転倒を防ぐ工法です。
【背景技術】
【０００２】従来は、倒壊の危険には突っかえ棒か添え柱と一部分の補強工事である。
【考案の開示】
【考案が解決しようとする課題】
【０００３】過去の地震時の記録を見ても、木造家屋の倒壊の大半は、１階部分が押し潰される例が多い。私自身１９９５年の阪神淡路大震災時に、建築士会のボランティアで震災度判定に走り回り、木造家屋の被災状況を見て耐震の方法を考案した次第です。
【課題を解決するための手段】
【０００４】木造家屋の全体を金属の柱・梁・ワイヤーで連結して、木造家屋の一番の欠点である２階梁と柱の仕口（柄穴及び、欠き込み、ボルト穴）等の欠損部分を補い、周囲に廻す金属土台及び金属パイプの柱により力を平滑にして地面に伝える耐震補強枠。家屋の周囲を金属パイプ１で囲み、天井裏にワイヤー３を通し、パイプタンバックル（金属締具）４で締め、金属パイプ１内部にはコンクリートを圧注する事で耐力を増し、金属パイプ１のジョイント部分２は途中部材（柱・梁）の３倍強度を得る連結部ジョイントコネクター図４で継ぎ、出入口開口部の基礎梁は地中に埋め込み、中間梁５は巾３００ｍｍ以上の６ｍｍメタルラスを溶接してラーメン（鋼）とした耐震補強枠。屋根も瓦屋根を廃し、軽量の金属板葺き８とする。また現場組み立てなので狭隘な住宅地でも施工を可とする。
【考案の効果】
【０００５】１棟全体を金属パイプで繋ぎ２階梁、柱部分の座屈を防ぎ倒壊・転倒を防ぐ。また、基礎の耐力増強は木造小住宅の周辺の長さ×耐震補強枠分１００ｍｍで基礎平面面積が広がり、地耐力の増加が望める。屋根も軽量の金属板葺き８とし、新しく加わる金属パイプ柱１の構成でモダンで安全な町家が形成される。
【図面の簡単な説明】
【０００６】
【図１】間口３．６ｍ奥行き１０．８ｍ設定１２坪小住宅の想定図である。
【図２】間口３．６ｍ奥行き１０．８ｍ設定１２坪小住宅の平面図である。
【図３】間口３．６ｍ奥行き１０．８ｍ設定１２坪小住宅の立面図である。
【図４】連結部ジョイントコネクターの詳細図である。
【図５】連結部ジョイントコネクターの平面図である。
【符号の説明】
【０００７】１  １００×１００ｍｍ厚み３．２ｍｍ亜鉛メッキパイプ
２  隅角部  連結部ジョイントコネクター
３  ワイヤー
４  パイプタンバックル（金属締具）
５  中間梁
６  庇−プラスチック平板  奥行き６００ｍｍ以上
７  出入口開口部の基礎梁
８  金属板葺き屋根
９  ９０×９０ｍｍ厚み３．２ｍｍ亜鉛メッキパイプ
１０  直径１６ｍｍ押しネジ
１１  ３００ｍｍ以上
【図１】
0003123949.tif 000003
【図２】
0003123949.tif 000004
【図３】
0003123949.tif 000005
【図４】
0003123949.tif 000006
【図５】
0003123949.tif 000007
(57)【要約】【課題】  本案は、遺骨・香袋・経典等及び位牌を収納できる多目的収納室を設け、この観音立像を、お寺の納骨堂や位牌堂に配列することにより、遺骨や位牌の収納スペースを合理的に節約して、より多くの位牌・遺骨を収納できるようにすると同時に、遺骨・経典・香袋等及び位牌を観音像一体に収めることにより、三位一体の観音像としてお祀りできることを課題とする。【構成】  仏像本体１と台座２とを着脱自在に分離可能とし、該台座２に遺骨袋・香袋・経典等を収納すべき凹状の多目的収納室３を設け、また、仏像本体１の底面に前記多目的収納室３の開口部と合致して着脱自在に嵌合すべき凸部４を設けると共に、仏像本体１の背面に位牌を収納すべき位牌収納室５を穿設し、該位牌収納室５に蓋６を着脱自在に設ける。【選択図】図１
0003123950.tif 000002
【実用新案登録請求の範囲】
【請求項１】
仏像本体１と台座２とを着脱自在に分離可能とし、該台座に遺骨袋・香袋・経典等を収納すべき凹状の多目的収納室を設け、また、仏像本体の底面に前記多目的収納室の開口部と合致して着脱自在に嵌合すべき、凸部を設けると共に、仏像本体の背面に位牌を収納すべき位牌収納室を穿設し、該位牌収納室に蓋を着脱自在に設けたことを特徴とする位牌等を収納できる多目的収納室を有する仏像。
【考案の詳細な説明】
【技術分野】
【０００１】  本考案は、遺骨・香袋・経典及び位牌を収納することができる小型の木造若しくは石造の観音立像に関するものである。
【背景技術】
【０００２】  従来技術においては、遺骨は単に骨壷に入れ、また位牌はそのままの状態で仏壇に配置し、或いはお寺の位牌堂の収納箱に収納しておくに過ぎなかった。
【考案が解決しようとする課題】
【０００３】  従来技術によれば、遺骨を骨壷に収納し、その骨壷を金糸製の袋に入れて保管し、また位牌は裸の状態で各家庭の仏壇に置くか、置く場所が狭い仏壇には戒名ケースに先祖代々の戒名札を納めて、これを仏壇に置くことが慣習とするほか、お寺の納骨堂に遺骨を納め、また位牌は位牌堂に夫々納めることを慣習としていた。  この場合、お寺においては、増加し続ける納骨や位牌の収納について、限られた収納スペースの中で、その置き場所を確保するため、多段式に区画されたレンタルボックス方式の棚を架設し、各々のボックスの中に位牌設置棚を設けて、各ボックスを個人専用として区画し、位牌や骨壷を収納していた。しかしながら、この方式にもスペース的に限界があり、如何にして収納効率を高めるかという技術的思想と、仏法本来の思想を損なわないという理念とを、両立させるには如何なる手段によるべきかが課題となっていた。
【課題を解決するための手段】
【０００４】  前記の課題を解決するために、考案者は前記の両者両立の方法として、入魂した観音像の蓮の台座内部に遺骨・香袋・経典等（以下遺骨等という）を多目的に収納できる収納室を設けると共に、該台座と着脱自在に嵌合可能な観音像本体の背面内部に出し入れ自在な位牌収納室を併設し、この観音像を連立配置することにより、一個のレンタルボックスの設置スペースよりも格段に小スペースで且つ観音像を生かすことにより仏教本来の思想を損なうことなく、課題を解決する手段を発案した。
【作用】
【０００５】  仏像たる観音像の蓮の台座の内部に遺骨等の収納室を彫り込んで設け、また、観音像の背面に位牌収納室を彫り込んで設け、前記の台座に遺骨等を収納し、且つ仏像の背面に設けた位牌収納室に位牌を収納して、仏像を台座に嵌合させて立像とすることにより、観音像１体の底面積の設置スペースで連立されば、配置効率を格段に高めるという技術的思想を充足する作用がある。
【考案の効果】
【０００６】  本考案によれば、観音像の蓮の台座の内部に遺骨等を収納すべき多目的収納室を設け、また、観音像の背面に位牌収納室を設けることにより、遺骨等と位牌の収納が一体化されるほか、必要に応じてミニ経典を併納することにより、三位一体の観音像としてお祀りすることができるために、より仏教本来の思想と理念を高めつつ、併せて観音像１体の底面積の設置スペースで連立させれば、配置効率が格段に高まるという技術的思想をも満たすことができる効果がる。
【考案を実施するための最良の形態】
【０００７】  本考案を実施例について説明すれば、１は、台座２と分割された観音像たる仏像本体であって、底部に台座２の凹部と嵌合して立像となすべき凸部４を設けると共に、背面に位牌を収納すべき位牌収納室５を彫り込んで設けたものである。２は台座であって、該台座２には、上方に開口する遺骨等を収納すべき多目的収納室５を彫り込んで設ける。該多目的収納室５の開口部は前記の仏像本体１の凸部４と緊密に嵌合すべきものである。６は位牌収納室５の蓋であって、着脱自在に装着可能となし、且つ仏像の背面の一部となす。
【図面の簡単な説明】
【０００８】
【図１】観音像の側面図であって、一部切欠して要部を示す。
【図２】観音像の背面図であって、一部切欠して要部を示す。
【図３】仏像本体の側面図であって、一部を切欠して要部を示す。
【図４】台座と仏像本体とを分離して、接合関係を示す部分背面図であり、矢印は台座と仏像本体との嵌合方向を示す。
【符号の説明】
【０００９】  １、仏像本体  ２、台座  ３、多目的収納室  ４、凸部  ５、位牌収納室  ６、蓋
【図１】
0003123950.tif 000003
【図２】
0003123950.tif 000004
【図３】
0003123950.tif 000005
【図４】
0003123950.tif 000006
(57)【要約】【課題】本考案は、自転車のフレームに着装した自転車錠の可動バーを手動で押下げると、自動的にフロントフォークのスイング機能を制止し、自転車の前輪を本体及び後輪と一直線とする整輪機能を有し、盗難防止機能も兼ねる。【解決手段】本考案は、自転車用錠１の可動バー３を駐輪時に施錠のため手動で押下げると可動バー３の先端がフロントフォーク７の前部を覆って停止する構造にして、ハンドルポスト６のスイング機能を制止し、鍵穴８からキー９を抜き施錠した時点で自動的に自転車全体が一直線の状態で停止することにより、整輪機能と盗難防止機能とを一体化している。【選択図】図１
0003123964.tif 000002
【実用新案登録請求の範囲】
【請求項１】
自転車用錠を自転車のフレームに締結固定し、該錠の可動バーを手動でフロントフォークの前部まで押し下げ、ハンドルポストのスイング機能を制止して前輪と後輪を一直線にして駐輪し施錠することにより、駐輪時に整輪機能及び盗難防止機能を兼備する事を特徴とした自転車用錠。
【請求項２】
自転車用錠に別途連結部を設け、自転車置場等の構造物に鎖等で該錠と連結し、該錠本体を自転車フレームに脱着可能な構造とし、駐輪時に該錠をフレームに着装し、可動バーを手動でフロントフォーク部分の前部まで押し下げ施錠することにより、着脱式にして駐輪時に整輪機能及び盗難防止機能を兼備する事を特徴とした請求項１記載の自転車用錠。
【考案の詳細な説明】
【技術分野】
【０００１】
本考案は、駐輪時の整輪機能と盗難防止機能を一体化した、自転車用錠に関する物である。
【背景技術】
【０００２】
従来、自転車本体に装着する自転車用錠は、駐輪時に前輪又は後輪の何れかを回転不能にする盗難防止機能のみを有した構造のものである。
【考案の開示】
【考案が解決しようとする課題】
【０００３】
自転車の駐輪時には、前輪がＴ字型にスイングし、隣のスペースまではみ出して障害になり、その都度左右の自転車の前輪を車体と一直線程度に整輪しなければならず、手間のかかるものである。例として商業施設、駅前等の駐輪場では整輪の為にガードマンを配備していることは労働的負担が大きい事を示している。
【０００４】
必然的に全ての自転車を整輪しようとすれば、前輪の固定装置いわゆる駐輪装置を別個に設置しなければならず、経済的負担が大きい。本考案は、駐輪時に自動的に前輪のスイングを制止して、整輪機能と盗難防止機能を一体化して前述の欠点を解決しようとするものである。
【課題を解決するための手段】
【０００５】
本考案は、自転車のフレームの前部、フロントフォーク上部のフレーム部分に、自転車用錠を締結装置により締結固定し、駐輪時に前輪が後輪とほぼ一直線になった状態で、手動で可動バーをフロントフォーク上部の前面まで押し下げ、ハンドルポストのスイング機能を制止した状態で施錠する事により問題点を解決している。
【考案の効果】
【０００６】
上述の様に、本考案の自転車用錠は、フロントフォーク上部のフレーム部分に自転車用錠を締結装置により締結固定し、駐輪時には自転車用錠の可動バーを手動でフロントフォーク上部の前部まで押し下げ、ハンドルポストのスイング機能を制止し施錠することにより整輪機能を有すると同時に盗難防止に役立つ。
【考案を実施するための最良の形態】
【０００７】
本考案は、請求項１に記載したように、フロントフォーク上部のフレームに自転車用錠を締結固定し、駐輪時に前輪と後輪がほぼ一直線で停止した状態で、該錠の可動バーを手動でフロントフォーク上部の前部まで押し下げ、ハンドルポストのスイング機能を制止し、キーを抜いて施錠することで整輪機能と防犯機能を一体化した構造としている。
【０００８】
自転車用錠を開錠する時はキーを差し込むと押し下げられた可動バーはスプリングバックで上部に戻り、ハンドルポストのスイングが自由になり、自転車の運行及び方向制御が可能になる。
【実施例】
【０００９】
以下、添付図面に従い一実施例を説明する。１は金属製等の適宜素材で一体化形成された自転車用錠で、２はフレームである。１自転車用錠を２フレームの４フレームの錠締結部に、５締結装置をもって締結固定する。駐輪時はスタンドを使用して安定させ、自転車がほぼ一直線になった状態で、３可動バーを手動で押し下げると、３可動バーの下端は、７フロントフォークの前面を覆って停止する。３可動バーと７フロントフォーク上部の前面との相互の間隔は微細なものとし、前輪が車体と一直線上に停止していなければ、３可動バーは７フロントフォークの前面に押し下げられないように構成している。
【００１０】
自転車が停止した状態で８鍵穴から９キーを抜くのみで、前輪を含む自転車本体は一直線の状態で整輪されて駐輪する。
【００１１】
従来、自転車の使用者は直進して停止しスタンドを起こし８鍵穴から９キーを抜き施錠する。この時点では自転車全体はほぼ一直線になっている。前輪がスイングしてＴ字型に乱れるのは、使用者がハンドルから手を離し、６ハンドルポスト及び７フロントフォークのスイングがフリーになるためである。本考案はこのフリーの状態を手動で容易に制止するものである。
【００１２】
第三者が、盗用目的で１自転車用錠を着装し施錠した自転車に乗り運行しようとしても、６ハンドルポスト及び７フロントフォークはスイング機能を制止されているため、左右の方向制御ができないので、手押し直進はするが通常の運行は不可能でカーブする場合に重心のバランスを崩して転倒する。
【００１３】
前述の如く、１自転車用錠を装備した全自転車は、９キーを用いて開錠しない限り人体を乗せて運行することが不可能である。
【００１４】
従来の自転車用錠は９キーを紛失した場合、錠を切断等の手段で自転車と切り離さないと、運行が不可能であるが、本考案の錠を着装した自転車は手押し運行が可能である。従って、予備の９キーがあれば開錠でき、従来型の如く錠を破壊する必要がなく。該錠は半永久的に使用できる。
【００１５】
実施例では、３可動バーは押込みスライド型のバーを例示したが、３可動バーは６ハンドルポスト及び７フロントフォークのスイング機能を制止する物であれば、リング式その他の方法でも同様である。
【図面の簡単な説明】
【００１６】
【図１】本考案の自転車用錠の実施例を示す側面図である。
【図２】同自転車用錠の施錠状態を示す図１におけるＡ−Ａ線矢視正面図である。
【図３】同自転車用錠の開錠状態を示す図１におけるＡ−Ａ線矢視正面図である。
【符号の説明】
【００１７】
１  自転車用錠
２  フレーム
３  可動バー
４  フレームの錠締結部
５  締結装置
６  ハンドルポスト
７  フロントフォーク
【図１】
0003123964.tif 000003
【図２】
0003123964.tif 000004
【図３】
0003123964.tif 000005
(57)【要約】      （修正有）【課題】アルミサッシのガラス表面にスペーサーを介してアクリル板を貼り付けて中空空気断熱層を形成することにより、ガラス２板で中空空気断熱層を構成する複層ガラスに代える代替複層ガラスを提供する。【解決手段】アルミサッシの額縁１０１表面とガラス１０２表面の高さの差を利用して、ガラス表面上にスペーサー１０３を介してアクリル板１０４を貼りつけ空気断熱層を形成することにより複層ガラス同等の熱放散量の低減を達成し、省エネとしての便益性の向上を図る。【選択図】図１
0003123970.tif 000002
【実用新案登録請求の範囲】
【請求項１】
本考案は、厚さ２ｍｍ以下のアクリル板をアルミサッシの室内側にガラスと平行に両面に接着剤を塗布した６ｍｍ以上のスペーサーを挟んで貼り付け、厚さの合計がアルミサッシの室内側額縁表面とガラス表面との高さの差、即ち一般的には９ｍｍ以下になるようにして中空層を形成するとともに、アクリル板とアルミサッシ額縁との間に生ずる隙間を接着テープで覆って中空層の気密性を保持することにより、板硝子協会で定める断熱基準の複層に相当する熱貫流率を確保することを特徴とする代替複層ガラス。
【考案の詳細な説明】
【技術分野】
【０００１】
本考案は、アルミサッシのガラス表面にスペーサーを介してアクリル板を貼り付けて中空空気断熱層を形成することにより、ガラス2枚で中空空気断熱層を構成する複層ガラスに代える代替複層ガラスに関する。
【背景技術】
【０００２】
室内からの放熱量削減および結露防止用に2枚のガラスを使用して空気断熱層を形成する複層ガラスが寒冷地を中心に原油高および地球温暖化問題を踏まえて普及しつつある。
【考案の開示】
【考案が解決しようとする課題】
【０００３】
市販されている複層ガラスは構造が複雑であり、特に既設の単ガラスのアルミサッシを複層ガラスに変更する場合は、アタッチメントを介しての取付けが必要であり取付け工事は専門家に委ねなければならず、費用が嵩むためにその普及の遅れが課題となっている
【課題を解決するための手段】
【０００４】
この課題を解決するための請求項１の考案は、スペーサーに木材であれプラスチックであれ加工し易く安価な材料を使用すること、ガラスに代えてアクリル板を使用すること、シール用の接着テープも空気漏れさえなければ市販の接着テープが使用できることなど複層ガラスにくらべ割安な代替複層ガラスを提供することが可能となる。
【０００５】
また、アクリル板の厚さを２ｍｍ以下にすることによりサッシ額縁寸法に合わせてカッターを使って自由に切断できるため、多様なサッシガラス寸法に合わせて工場加工する必要がなく専門家のサッシへの取付け作業も必要なくなり各人で代替複層ガラスの取付けが可能となる。
【考案の効果】
【０００６】
複層ガラスの断熱効果は室内側ガラスの表面熱伝達率の逆数と室内側ガラスの表面熱伝達率の逆数と中空層の厚さに関係する熱コンダクタンスと2枚のガラスの熱抵抗との総和に比例するため、代替複層ガラスのスペーサー厚さを一般的な複層ガラスの中空層厚さ６ｍｍ以上にすればアクリル板の熱伝導率がガラスの熱伝導率より小さいためにアクリル板厚さを２ｍｍ以下に抑えても複層ガラスと同等の断熱効果が期待でき、板硝子協会で定める断熱基準の複層に相当する熱貫流率を確保することが可能となる。
【０００７】
代替複層ガラスにおいて、スペーサーの厚さとアクリル板の厚さと接着剤の厚さの合計をサッシ額縁表面高さとガラス表面高さの差即ち一般的には９ｍｍを越えないようにすることにより代替複層ガラスを取付けることによる引き違い戸の開閉の妨げになることはなくなる。
【考案を実施するための最良の形態】
【０００８】
本考案の代替複層ガラスに関する実施の形態について説明する。
なお、この形態は、考案の趣旨をより良く理解させるために説明するものであり、特に指定しない限り、本考案を限定するものではない。
【実施例１】
【０００９】
図１は、ガラス１０２に直接接着剤で硬質プラスチック製のスペーサー１０３を貼りつけその上にアクリル板１０４を同じく接着剤で貼り付けたもので、さらにその上に接着テープ１０５をアクリル板１０４とアルミサッシ額縁１０１との隙間をまたいでアクリル板１０４とサッシ額縁１０１に貼りつけて空気断熱層２００の機密性を確保するようにした代替複層ガラスの全体図である。
図２は、断面の部分拡大図でサッシの額縁１０１、サッシのガラス１０２、スペーサー１０３、アクリル板１０４、接着テープ１０５と空気断熱層２００の取付け位置関係を示す部分拡大断面図である。
【図面の簡単な説明】
【００１０】
【図１】代替複層ガラスの全体図である。
【図２】代替複層ガラスの部分拡大断面図である。
【符号の説明】
【００１１】
１０１    額縁
１０２    ガラス
１０３    スペーサー
１０４    アクリル板
１０５    接着テープ
２００    空気断熱層
【図１】
0003123970.tif 000003
【図２】
0003123970.tif 000004
(57)【要約】【課題】チップを設置するエポキシ接着剤板に実用機能を付与するチップエポキシ接着剤塗布板構造を提供する。【解決手段】本考案に係るチップエポキシ接着剤塗布板構造は、金属板１０には複数孔を具えた穿孔１１を設置し、該穿孔１１周囲及び孔壁には軟樹脂層１２を一体に結合し、該軟樹脂層１２の厚みは該金属板１０より大きく、これにより厚みを削減しチップ４両端を露出させ、チップ４両端にエポキシ接着剤５を塗布可能であることを特徴とする。【選択図】  図４
0003123993.tif 000002
【実用新案登録請求の範囲】
【請求項１】
金属板には複数孔を具えた穿孔を設置し、該各穿孔周囲及び孔壁には軟樹脂層を一体に結合し、該軟樹脂層の厚みは該金属板より大きく、
これにより厚みを削減しチップ両端を露出させ、チップ両端にエポキシ接着剤を塗布可能であることを特徴とするチップエポキシ接着剤塗布板構造。
【考案の詳細な説明】
【技術分野】
【０００１】
本考案は一種のチップエポキシ接着剤塗布板構造に関する。特に一種の金属板は複数孔の穿孔を具え、さらに金属板両面及び穿孔孔壁に軟樹脂層を設置しチップを挿入定位し、これにより厚みを削減しチップ両端を露出させ、チップ両端にエポキシ接着剤を塗布することができるチップエポキシ接着剤塗布板構造に係る。
【背景技術】
【０００２】
チップの製造プロセスにおいては、チップ両端にエポキシ接着剤を塗布する加工が必要である。これにより多くのチップは同時にエポキシ接着剤を塗布され、チップを樹脂板に挿入定位する。
公知構造は図１、２に示すように、軟樹脂ブロック１に複数孔を具えた穿孔２を形成し、周辺は金属フレーム３により補強する。これにより、チップ４は該穿孔２中に挿入され、該軟樹脂ブロック１の軟樹脂弾性により挟持される、該チップ４をエポキシ材料盤中に入れ一端にエポキシ接着剤５を塗布するものである。
【特許文献１】特開２００５−１５０４４５号公報
【考案の開示】
【考案が解決しようとする課題】
【０００３】
公知構造には以下の欠点があった。
すなわち、耐圧力強度の必要から圧程度の厚みが必要で、チップは一端だけが露出しエポキシ接着剤を塗布されるが、反対端を露出させることはできない（図２参照）。よって、反対端にエポキシ接着剤を塗布しようとすれば、塗布されたエポキシ接着剤の乾燥固化を待ち、チップを後退させ反対端を露出させなければ、反対端にエポキシ接着剤を塗布することはできない。そのため両端に連続しエポキシ接着剤を塗布することができず、両端にエポキシ接着剤を塗布する時には面倒で時間がかかる。さらにかなりの厚みがあるため、比較的重量がある。
本考案は、上記構造の問題点を解決したチップエポキシ接着剤塗布板構造を提供するものである。
【課題を解決するための手段】
【０００４】
上記課題を解決するために、本考案は、金属板には複数孔を具えた穿孔を設置し、該各穿孔周囲及び孔壁には軟樹脂層を一体に結合し、該軟樹脂層の厚みは該金属板より大きく、これにより厚みを削減しチップ両端を露出させ、チップ両端にエポキシ接着剤を塗布可能であることを特徴とするチップエポキシ接着剤塗布板構造を提供する。
【考案の効果】
【０００５】
上記のように、本考案金属板は耐圧力強度が優れているため、挿入定位するチップの厚みを減小させることができ、チップ両端を比較的長く露出させることができるため、一端にエポキシ接着剤を塗布した後は直ちに裏返し、反対端にエポキシ接着剤を塗布することが可能で、さらに一緒に乾燥させることができる。こうして人的労力を節約し、エネルギーを節減し、作業を迅速にする機能を達成する。さらに全体的に薄いため、加熱エネルギーの吸收が少なくて済み、すなわち冷却は速くなり、サイズが小さくしかも軽量でコンパクトであるため、自動化機器設備での使用に適している。よって真空吸盤式吸定金属板を採用し軟樹脂層をエポキシ材料盤中に設置し、エポキシ接着剤を塗布することができる。
【考案を実施するための最良の形態】
【０００６】
本考案の金属板１０は鋼板を採用し製造し、耐圧力強度が大きいという効果を具える。すでに穿孔１１を施した金属板１０を軟樹脂層１２モールド中に入れ成型し、軟樹脂と該金属板１０を一体に結合し、該金属板１０の両面及び該穿孔１１の孔壁に軟樹脂層１２を形成する。
エポキシ接着剤を塗布された時、図５に示すように、該チップ４は該穿孔１１中に挿入され、軟樹脂層１２軟樹脂の伸縮弾性により、該チップ４はエポキシ材料盤中に挟持設置され、エポキシ接着剤５を塗布される。
【図面の簡単な説明】
【０００７】
【図１】公知構造の立体図である。
【図２】公知構造のチップにエポキシ接着剤を塗布する様子の断面指示図である。
【図３】半成品時の本考案金属板の立体図である。
【図４】本考案構造の立体図である。
【図５】本考案構造のチップにエポキシ接着剤を塗布する様子の断面指示図である。
【図６】本考案構造のチップ反対端にエポキシ接着剤を塗布する様子の断面指示図である。
【符号の説明】
【０００８】
１  軟樹脂ブロック
２、１１  穿孔
３  金属フレーム
４  チップ
５  エポキシ接着剤
１０  金属板
１２  軟樹脂層
【図１】
0003123993.tif 000003
【図２】
0003123993.tif 000004
【図３】
0003123993.tif 000005
【図４】
0003123993.tif 000006
【図５】
0003123993.tif 000007
【図６】
0003123993.tif 000008
(57)【要約】【課題】プーリを傷付けずして容易に抜くことができるプーリ引抜き治具を提供することを目的とする。【解決手段】軸５に装着したプーリ４を引抜く治具１であり、プーリ４の内周面に螺着できる外部ネジ部２１とナット部２２を一体化し、かつ内部ネジ部２３を貫通させたプーリ固定部材２と、内部ネジ部２３に螺着した送りネジ３から構成される。【選択図】      図２
0003123995.tif 000002
【実用新案登録請求の範囲】
【請求項１】
軸に装着したプーリを引抜く治具であり、プーリの内周面に螺着できる外部ネジ部とナット部を一体化し、かつ内部ネジ部を貫通させたプーリ固定部材と、該内部ネジ部に螺着した送りネジからなることを特徴とするプーリ引抜き治具。
【考案の詳細な説明】
【技術分野】
【０００１】
本考案はプーリ引抜き治具に係り、詳しくはプーリを傷付けずして容易に抜くことができるプーリ引抜き治具に関する。
【背景技術】
【０００２】
従来のプーリ引抜き治具では、特許文献１に腕体の爪部をプーリに把持した後、ネジ部を回転操作させてプーリを軸から引抜く工具が開示されている。
【特許文献１】実開平５−８５５６７号公報
【考案の開示】
【考案が解決しようとする課題】
【０００３】
しかし、従来のプーリ引抜き治具では、腕体の爪部をプーリに把持するために、プーリと壁面との間隔が小さい場合には、爪部を取付けることが困難であった。また、抜取るべきプーリが小型であると、従来の治具では使用することが困難であり、また爪部が簡単に外れてプーリを傷付けることがあった。
【０００４】
本考案はこのような問題を改善するものであり、プーリを傷付けずして容易に抜くことができるプーリ引抜き治具を提供することを目的とする。
【課題を解決するための手段】
【０００５】
即ち、本願の請求項１記載の考案では、軸に装着したプーリを引抜く治具であり、プーリの内周面に螺着できる外部ネジ部とナット部を一体化し、かつ内部ネジ部を貫通させたプーリ固定部材と、該内部ネジ部に螺着した送りネジからなるプーリ引抜き治具にあり、プーリ固定部材をプーリの内周面に螺着した後、送りネジを回転させてその先端をプーリを装着した軸に当接させることによってプーリを軸から引抜くことができる。
【考案の効果】
【０００６】
本考案のプーリ引抜き治具では、プーリ把持用の爪部を使用しないためにプーリと壁面との間隔が小さい場合やプーリが小型化しても、プーリを傷付けずして容易に抜くことができる効果がある。
【考案を実施するための最良の形態】
【０００７】
図１は本考案に係るプーリ引抜き治具の正面図であり、図２はプーリ引抜き治具を用いてプーリを抜く状態を示す。
本考案に係るプーリ引抜き治具１は、プーリの内周面に螺着できる外部ネジ部２１とナット部２２を一体化し、かつ内部には貫通ネジ部２３を有するプーリ固定部材２と、該官通ネジ部２３に螺着した送りネジ３から構成され、プーリ固定部材２と送りネジ３の頭部３１との間には位置固定用のナット６が配置されている。プーリ固定部材２はナット部２２を回転させることにより外部ネジ部２１をプーリに螺着する。
【０００８】
即ち、図２に示すように、プーリ固定部材２の外部ネジ部２１をプーリ４の内周部に設けたネジ部４１に嵌め込んだ後、ナット部２２を回転させることでプーリ引抜き治具１を設置する。続いて、内部ネジ部２３に嵌め込んだ送りネジ３を回転させ、その先端３１をプーリ４に装着した支持軸５に当接させることによってプーリ４をプーリ引抜き治具１と一体にして支持軸５からスムーズに引抜くことができる。
【図面の簡単な説明】
【０００９】
【図１】本考案に係るプーリ引抜き治具の正面図である。
【図２】プーリ引抜き治具を用いてプーリを抜く状態を示す。
【符号の説明】
【００１０】
１  プーリ引抜き治具
２  プーリ固定部材
３  送りネジ
４  プーリ
５  支持軸
２１  外部ネジ部
２２  ナット部
２３  内部ネジ部
【図１】
0003123995.tif 000003
【図２】
0003123995.tif 000004
(57)【要約】【課題】本考案は、食品に関しての表示が印刷されている場合、その文字が小さくても容易に読み取ることの出来る虫メガネホルダーにより、食品の賞味期限などを把握する。【解決手段】本考案は、磁石をセットした虫メガネホルダーを冷蔵庫表面に取り付ける事により、食品についての表示を容易に読み取れるようにした。【選択図】図３
0003123912.tif 000002
【実用新案登録請求の範囲】
【請求項１】
綿生地と中綿の間に磁石をセットし、マグカップ型に縫製した冷蔵庫用虫メガネホルダー
【考案の詳細な説明】
【技術分野】
【０００１】本考案は、食品に関しての表示が印刷されている場合、その文字が小さくても容易に読み取ることのできる台所用品に関するものである。
【背景技術】
【０００２】  食品の賞味期限や細かな説明書きの部分が小さな文字で印刷されている場合には、メガネを使用していても読み取りにくいことがある。その際、拡大レンズを用いて見るという方法もあるが、レンズの出し入れに手間取ることがよくある。
【考案の開示】
【考案が解決しようとする課題】
【０００３】  食品に関しての表示が印刷されている場合、その文字が小さくても容易に読み取ることのできる虫メガネホルダーにより、食品の賞味期限などを把握する。
【課題を解決するための手段】
【０００４】  本考案は磁石をセットした虫メガネホルダーを冷蔵庫表面に取り付けることにより、食品についての表示を容易に読み取れるようにした。
【考案の結果】
【０００５】  １）、本考案にセットされている磁石の効力が最大限に発揮できるよう、薄い布地を用いて縫製されている為、冷蔵庫表面にしっかりと取り付けることができ、安定感がある。
２）、レンズの当たる部分に、フェルト布状の中綿を使用している為、レンズの保護ができ傷がつきにくい。
３）、本考案は縦・横７ｃｍ、重さ１０ｇとコンパクトに仕上がっているので、場所をとらず取り付けやすい。
【考案の実施する為の最良の形態】
【０００６】
【実施例】
【０００７】  冷蔵庫表面の使い勝手の良い場所に取り付け、必要に応じて虫メガネを取り出し、使用後はカップの中に収納する。
【図面の簡単な説明】
【０００８】
【図１】本考案に磁石がセットされていることを示す図
【図２】磁石が中綿と外側の布との間にあることを示す図
【図３】本考案に虫メガネがセットされた状態を表す図
【符号の説明】
【０００９】    １  綿生地
２  フェルト布状の中綿
３  磁石
４  虫メガネ
【図１】
0003123912.tif 000003
【図２】
0003123912.tif 000004
【図３】
0003123912.tif 000005
(57)【要約】【課題】紙コップからの熱を効率よく逃がすことができ、熱による紙コップの損傷を防止できるプラスチックス製の紙コップホルダーを提供する。【解決手段】紙コップ２０を保持可能なプラスチックス製の紙コップホルダーにおいて、その内周面６に、装着される紙コップ２０の周面との間に隙間空間１０を形成するための突出部８が形成されるとともに、底部９に通気開口１２が形成されてなることを特徴とする紙コップホルダー。【選択図】図１
0003123914.tif 000002
【実用新案登録請求の範囲】
【請求項１】
紙コップを保持可能なプラスチックス製の紙コップホルダーにおいて、
その内周面に、装着される紙コップの周面との間に隙間空間を形成するための突出部が形成されるとともに、底部に通気開口が形成されてなることを特徴とする紙コップホルダー。
【考案の詳細な説明】
【技術分野】
【０００１】  この考案はプラスチックス製の紙コップホルダーに関する。
【背景技術】
【０００２】  紙コップにホットコーヒー等を入れると熱くて持ちにくく、そこで紙コップを保持可能なプラスチックス製の紙コップホルダーが提供されている。
【考案の開示】
【考案が解決しようとする課題】
【０００３】  しかしながら、従来の紙コップホルダーの場合、紙コップから熱が逃げにくいので紙を重ね合わせた継ぎ目の接着剤がその熱により溶け、継ぎ目に隙間が生じそこからコーヒーが流れ出すような問題が発生した。【０００４】  この考案は上記の事情に鑑みて行ったもので、紙コップからの熱を効率よく逃がすことができ、熱による紙コップの損傷を防止できるプラスチックス製の紙コップホルダーを提供することを目的とする。【０００５】  この考案では、紙コップを保持可能なプラスチックス製の紙コップホルダーにおいて、その内周面に、装着される紙コップの周面との間に隙間空間を形成するための突出部が形成されるとともに、底部に通気開口が形成されてなることを特徴とする紙コップホルダーを提供する。【０００６】  上記構成の紙コップホルダーに熱いコーヒー等が入れられた紙コップが装着されると、紙コップの側面の熱は隙間空間に放出され下面の熱は底部の通気開口から放出される。これにより、装着される紙コップの側面、下面に熱が溜まることが抑制され、そこにある継ぎ目の接着剤が熱により溶け出すことが回避され、継ぎ目の熱による損傷が防止されてコーヒー等の漏れ出しが防止される。【０００７】  上記突出部は例えばリブ形状とされ、縦方向に設けられることで形成される隙間空間の上部が外部空間につながり、熱の放出効果が高められる。リブ形状とされた突出部は紙コップホルダーの補強部としても役立つ。底部の通気開口の下部に実施形態に示すような空間が設けられることで、通気開口からの熱の放出効果が高められる。
【考案の効果】
【０００８】  この考案によれば、熱による紙コップの損傷を防止できるプラスチックス製の紙コップホルダーが得られる。
【考案を実施するための最良の形態】
【０００９】  図１はこの考案の紙コップホルダーの実施形態の外観斜視図、図２は正面図、図３は平面図、図４は底面図、図５は断面図である。【００１０】  紙コップホルダー１はプラスチックスの一体成形品であり、紙コップ２０を内部に保持するホルダー本体３の上部外周の一方側に取手４が一体に設けられて構成されている。ホルダー本体３の外面には取手４の下部の両側から連続してデザイン模様５が突出形成されている。このデザイン模様５はその部分が厚肉となることでホルダー本体３を補強してその歪み等の発生を防ぐとともに、取手４下部のホルダー本体３部分への連接部の補強機能も果たしている。【００１１】  ホルダー本体３の内周面６には上下方向に１ｍｍ高さ程度の６本のリブ（突出部）８が等間隔に突設されている。このようにリブ８それぞれが形成されたことで、それらリブ８間の内周面６に沿う部分は紙コップ２０が装着された際の隙間空間１０を形成し、この隙間空間１０は上部において外部空間と連通する。【００１２】  ホルダー本体３の底部９には４個に区切られた通気開口１２が形成されるとともに、底部９の下面の周縁には連続して下方に突出する脚縁１３が形成されている。【００１３】  図５に示すように、上記構成の紙コップホルダー１に熱いコーヒー等が入れられた紙コップ２０が装着されると、紙コップ２０の側面２１の熱は隙間空間１０から上昇して外部に放出される。また、紙コップ２０の底面２２の熱は通気開口１２から下方の脚縁１３に囲まれる下部空間１５に至り、紙コップホルダー１が持ち上げられることで放出される。【００１４】  紙コップ２０の側面２１には通常縦方向に継ぎ目があるが、上記のようにして側面２１に熱が溜まることが抑制されるので継ぎ目の接着剤が熱により溶け出すことが回避される。また、紙コップ２０の底面２２にも周囲等に継ぎ目があるが、上記のようにして底面２２に熱が溜まることが無いので同様に継ぎ目の接着剤が熱により溶け出すことが回避される。このようにして紙コップ２０全体の継ぎ目の熱による損傷が防止されてコーヒー等の漏れ出し確実に防止される。
【図面の簡単な説明】
【図１】  この考案の紙コップホルダーの実施形態の表面側外観斜視図
【図２】  この考案の紙コップホルダーの実施形態の正面図
【図３】  この考案の紙コップホルダーの実施形態の平面図
【図４】  この考案の紙コップホルダーの実施形態の底面図
【図５】  この考案の紙コップホルダーの実施形態の断面図
【符号の説明】
１    紙コップホルダー
３    ホルダー本体
６    内周面
８    リブ（突出部）
９    底部
１２  通気開口
２０  紙コップ
【図１】
0003123914.tif 000003
【図２】
0003123914.tif 000004
【図３】
0003123914.tif 000005
【図４】
0003123914.tif 000006
【図５】
0003123914.tif 000007
(57)【要約】【課題】  本考案は調理台に設けるラックに洗剤容器乗せ調理台に振動与えるとラックから洗剤容器が落下すること課題とした。【解決手段】  ラックに洗剤容器等挿入する箱形ポケットを設け解決手段とした。【選択図】図１
0003123913.tif 000002
【実用新案登録請求の範囲】
【請求項１】
タワシ・ふきんを乗せるラックに容器挿入箱形ポケットを設けたことを特徴とする容器入れラック。
【考案の詳細な説明】
【技術分野】
【０００１】本考案はラックに容器を乗せても落下しないラックに関する。
【背景技術】
【０００２】  従来には洗剤容器専用ラックは知られている。
【考案の開示】
【考案が解決しようとする課題】
【０００３】  しかしながらラックに洗剤容器等を乗せ調理台で少しの振動でもラックから洗剤容器等が落下する欠点がある。
【課題を解決するため手段】
【０００４】  本考案はラックに洗剤容器を挿入出来る箱形ポケットを設けることで上記課題を解決するものである。
【考案を実施するための最良の形態】
【０００５】  図１に示すようにタワシ・ふきんを乗せるラックに洗剤容器を挿入出来る箱形ポケットを設け、箱形ポケットの底に水切り穴を設けた。
【考案の効果】
【０００６】  本考案は調理台に設けるラックにタワシ・ふきん等を乗せるだけでなく洗剤容器をラックの箱形ポケットに挿入することで調理台に振動を与えても、ラックから洗剤容器が落下しない。
【図面の簡単な説明】
【図１】本考案に係る容器入れラックの工程図である。
【符号の説明】
１  ラック
２  ラックに設けた箱形ポケット
３  水抜き穴
４  容器
【図１】
0003123913.tif 000003
(57)【要約】【課題】  本考案はルアー本体を斑状に発光させることによりルアーを立体的に表現し、生命感をもたせて集魚効果を向上し、さらに、長期にわたり蓄光フレークの剥離を防ぐ。【解決手段】  本考案はルアー本体１の成型時に予め０．１ｍｍから３ｍｍ程度の比較的大きい粒子の蓄光フレーク３を透明もしくは半透明の合成樹脂２に混ぜ込み、射出することにより、蓄光フレーク３を斑状に練り込み、これによりルアー本体１を斑状に発光させ、より立体的にルアーを表現し、生命感をもたせて集魚効果を高めるとともに、練り込んだことにより、長期にわたり蓄光フレーク３の剥離を防ぎその効果を持続させることができる。【選択図】図１
0003123917.tif 000002
【実用新案登録請求の範囲】
【請求項１】
ルアー本体の成型時に予め０．１ｍｍから３ｍｍ程度の蓄光フレークを透明もしくは半透明の合成樹脂に混ぜ込み、射出することにより、蓄光フレークを斑状に練り込ませる。これにより暗所にてルアー本体を斑状に発光させ、より立体的にルアーを表現し、生命感をもたせることで集魚効果を高めることを特徴としたルアー。
【請求項２】
ルアー本体樹脂内部に蓄光フレークが練り込まれているため、使用を重ねても塩分、魚の歯、障害物との接触などで蓄光フレークが欠落することがなく、集魚効果が持続する。
【考案の詳細な説明】
【技術分野】
【０００１】  本考案は釣りに用いられるルアーに関する。
【背景技術】
【０００２】  従来、この種のルアーはルアー本体の表面に蓄光塗料あるいは顔料を直接塗布し、または吹き付けて発光させるか、もしくは微粒子の蓄光性発光体をルアー本体全体に混ぜ込んで発光させるものであった。
【考案の開示】
【考案が解決しようとする課題】
【０００３】  従来から存在するルアーの表面もしくはルアー全体を発光させる方法によるルアーでは、その発光により生命感や立体感を表現できず、集魚効果が期待できない。
【課題を解決するための手段】
【０００４】  本考案はルアー本体の成型時に予め０．１ｍｍから３ｍｍ程度の蓄光フレークを透明もしくは半透明の合成樹脂に混ぜ込み、射出することにより、蓄光フレークを斑状に練り込み、これによりルアー本体を斑状に発光させ、より立体的にルアーを表現し、生命感をもたせることで問題を解決している
【考案の効果】
【０００５】  上述のように本考案のルアーは集魚効果を高めることはもちろん、ルアー本体樹脂内部に蓄光フレークが練り込まれているため、使用を重ねても塩分、魚の歯、障害物との接触などで蓄光フレークが欠落することがなく、集魚効果が持続する。
【実施例】
【０００６】  以下、添付図面に従って一実施例を説明する。１は透明もしくは半透明のプラスチック等の合成樹脂素材にて射出成型されたルアー本体の長手方向の断面図であるが、ルアー本体１を形成する合成樹脂２に蓄光フレーク３を射出成型時に練り込むことにより蓄光フレークが斑状に合成樹脂２部分に構成される。
【図面の簡単な説明】
【０００７】
【図１】本考案ルアー本体の長手方向の断面図である。
【符号の説明】
【０００８】１  ルアー本体
２  ルアーを形成する合成樹脂
３  蓄光フレーク
【図１】
0003123917.tif 000003
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
ルアー本体の成型時に予め０．１ｍｍから３ｍｍ程度の蓄光フレークを透明もしくは半透明の合成樹脂に混ぜ込み、射出することにより、蓄光フレークを斑状に練り込ませ、これにより暗所にてルアー本体を斑状に発光させ、より立体的にルアーを表現し、集魚効果を高めることを特徴としたルアー。
(57)【要約】      （修正有）【課題】着物や浴衣を着用する際に締める帯のまわりに装飾性を持たせ、自由に取り外しができるようにする。【解決手段】帯の内側に使用する前板にレースを縫いつける。その際レース部分を帯の外側に出せるように、縫製部４のみ縫製する。【選択図】図１
0003123916.tif 000002
【実用新案登録請求の範囲】
【請求項１】
着物や浴衣の着付けの際に使用する帯板にレースを付け、使用する際にそのレース部を帯から出すことにより、装飾性をもたらす。
【考案の詳細な説明】
【考案の詳細な説明】
【考案が解決しようとする課題】
【０００１】  本来、帯板は、着物や浴衣を着る際に帯の内側に差し込むように使用し、それにより帯のしわを取り除き、美しく見せるためにある。しかし、着付道具としての性質上、外部から見えないようするものであり、装飾性はなかった。
【０００２】  この考案は、上記問題に着目してなされたもので、着物や浴衣を着る女性に対して、より和装ファッションが楽しめる商品を提供することを目的とする。
【課題を解決するための手段】
【０００３】  帯板の上部にレース生地のような装飾性のあるものを縫製し、装着後はレース部分を帯から出して使用する。
【考案を実施するための最良の形態】
【０００４】  帯に直接レースを縫製するのではなく、本来、外部から見えない着付道具に取り付けることにより、過度な装飾が好ましくない場面等には、レース部分を帯の間にしまっておくことができる。つまり、図１において、３の上部にあたる４のみ縫製することである。
【考案の効果】
【０００５】  また、帯に直接縫製を施すとなると、帯の製経時に装飾部分となるレースを同時に織り込まなくてはならず、非常に高度な技術を要することになり、その結果、代価の高いものになってしまう。帯をする時に必ず使用する前板に装飾を施すことは技術的にも簡易であるにもかかわらず、同様の効果を得ることができる。
【図面の簡単な説明】
【図１】この考案の正面から見た縮小図である。
【符号の説明】
１  帯板    ２  裏あて    ３  レース生地    ４  縫製部
【図１】
0003123916.tif 000003
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
着物や浴衣の着付けの際に使用する帯板にレースを付け、使用する際にそのレース部を帯から出すことによって、装飾性を持たせた帯板。
(57)【要約】      （修正有）【課題】本考案は、自動車の傷を防ぐ衝撃吸収ゴムを提供する。【解決手段】厚さ１０ｍｍ程度のゴムの１面を粘着面とし、粘着力を高めるために、ゴムの周囲に傾斜をつけることからなる傷ガードを、自動車の四隅の範囲と型に合わせて粘着面を密着させて取り付ける。【選択図】図１
0003123911.tif 000002
【実用新案登録請求の範囲】
【請求項１】
自動車の四隅の傷を防ぐ衝撃吸収ゴム。
【考案の詳細な説明】
【考案の詳細な説明】
【技術分野】
【０００１】  この考案は、自動車の四隅の傷を防ぐ衝撃吸収ゴムである。
【背景技術】
【０００２】  従来、自動車の傷を防ぐ方法としては、自動車の四隅にポールを装着し、あるいはセンサーで、それを目印に他の物体に接触しないよう運転するというような、最終的には運転技術に頼らざるを得ないものであった。
または、すでに傷がついてしまった部分に応急処置として、ペイントで傷を目立たなくするものであった。
これでは、傷を防ぐには不十分であり、最終的には修理せざるをえず、費用と時間が自動車利用者の負担になっていた。
【考案が解決しようとする課題】
【０００３】  本案は、その欠点を防ぐために考案されたもので、運転技術に頼ることなく傷を防ぐことができ、修理費用とその時間をかけなくて済む自動車利用者の念願の傷ガードである。
【課題を解決するための手段】
【０００４】  いまこの解決手段を図面にそって説明すれば、
（イ）  厚さ１０ｍｍ程度のゴムの１面を粘着面とする。
（ロ）  粘着力を高めるために、ゴムの周囲に傾斜をつける。
以上の形状からなる傷ガードを、自動車の四隅の範囲と型に合わせて粘着面を密着させて取り付ける。
【考案を実施するための最良の形態】
【０００５】  本案は、以上のような形状であるから、これを使用するときは、自動車の四隅の範囲と型を確認し、その四隅に粘着面を密着させて取り付ける。耐久力の低下したものは、剥がして新しい衝撃吸収ゴムに交換すればよい。【０００６】  なお、本考案の実施にあたって次の如きことができる。
（イ）  ゴムの色は、無色透明から自動車の塗装色に合わせた色、または四隅の素材の色に自由に合わせることができる。
（ロ）  自動車の四隅への取り付けはもとより、自動車の前後、左右の必要箇所にも粘着面を密着させて取り付けることができる。
【考案の効果】
【０００７】  したがって、運転技術に左右されることなく傷を防ぐことができ、自由に交換することができるので、たとえ他の物体に接触したとしても、頻繁に応急処置や修理をする必要がなくなる。
【図面の簡単な説明】
【図１】本案の断面図
【図２】本案の平面図
【符号の説明】
１は粘着面
【図１】
0003123911.tif 000003
【図２】
0003123911.tif 000004
【手続補正書】
【提出日】平成18年4月27日(2006.4.27)
【手続補正１】
【補正対象書類名】実用新案登録請求の範囲
【補正対象項目名】全文
【補正方法】変更
【補正の内容】
【実用新案登録請求の範囲】
【請求項１】
・自動車の四隅の傷を防ぐ衝撃吸収ゴムであって１面を粘着面とし周囲に傾斜を付けた衝撃吸収ゴム。
(57)【要約】【課題】  マイナスイオンを発生する金属ピンと磁石ピンを装着し頭皮及び身体機能の活性化をはかる育毛発毛健康ブラシを提供する。【解決手段】  ピン支持体に、マイナスイオンを発生する金属ピンと他の金属ピンを装着し、また磁石ピンにおいてはパイプを利用して装着することを特徴としうる頭皮育毛ブラシ。【選択図】図１
0003123918.tif 000002
【実用新案登録請求の範囲】
【請求項１】
ピン支持体にマイナスイオンを発生させる金属ピンと磁石ピンを装着したことを特徴としうる頭皮育毛ブラシ。
【考案の詳細な説明】
【技術分野】
【０００１】  本考案はブラシの支持体にマイナスイオンを発する金属ピンと磁石ピンを装着して、頭皮育毛の活性健康器具に関するものである。【０００２】  従来ブラシにはこのようなたぐいのものは無かった。ただし、クシには磁石の装着したものはあった。
【考案の開示】
【考案が解決しようとする課題】
【０００３】それには次のような問題点があった。
（イ）磁石の先端部がカットされた状態で、丸く研磨していないのでなめらかに髪をとかすことができなかった。
（ロ）また頭皮に傷をつけるなど使用感という点に於いても大きな問題があった。
【課題を解決するための手段】
【０００４】  磁石ピンは先端を丸く研磨する。ブラシの支持体にはマイナスイオンを発する金属ピンと磁石ピンを任意に配列し、ブラシの台は木製又は合成樹脂で加工したことを特徴としうる頭皮育毛ブラシである。
【考案の効果】
【０００５】  上述の構成により従来のブラシのように使用すれば頭皮を刺激して、マイナスイオンを発生する金属元素と磁石の磁気の相乗効果で、マイナスイオン化して頭皮組織に浸透し毛細血管を活性化させて、頭皮の発毛、育毛効果を増進させ、その他に身体等をブラッシングすれば、神経痛、肩こり、血行促進などはかりしれない効果が期待できる。
【考案を実施するための最良の形態】
【０００６】  以下本考案の実施形態について説明する。
（イ）ピン支持体▲３▼にマイナスイオンを発生する金属ピン▲４▼、磁石ピン▲４▼を装着する。
（ロ）磁石ピン▲１▼についてはパイプ▲６▼を利用してピン支持体▲３▼に装着する。
本考案は以上のような構成であるから、これを使用するときは従来のブラシのように使用する。
【図面の簡単な説明】
【０００７】
【図１】  側面図
【図２】  平面図
【図３】  断面図
【符号の説明】
▲１▼  磁石ピン
▲２▼  ブラシ台
▲３▼  ピン支持体
▲４▼  マイナスイオンを発生する金属ピン
▲５▼  柄
▲６▼  パイプ
▲７▼  従来の金属ピン
【図１】
0003123918.tif 000003
【図２】
0003123918.tif 000004
【図３】
0003123918.tif 000005